(57)【特許請求の範囲】
【請求項１】
略矩形の月毎のカレンダー用紙と該カレンダー用紙を複数掲示する場所を有するボードとで構成されて、
該ボードが、前記カレンダー用紙を掲示する場所の間に、カレンダー用紙が進む側がスロープ状でカレンダー用紙が戻る側がフック状のストッパーと、カレンダー用紙の前面に位置する前面板を備えていることを特徴とするカレンダー装置。
【請求項２】
カレンダー用紙が略正方形であることを特徴とする請求項１記載のカレンダー装置。
【請求項３】
請求項１記載のカレンダー装置を用いて、
カレンダー用紙の第一の掲示する場所にある表面のカレンダー用紙をボードが備えた前面板とストッパーの間を滑動させて通過させて、
カレンダー用紙の第二の掲示する場所に移動することを特徴としたカレンダーの月表示を更新する方法。
【発明の詳細な説明】
【技術分野】
【０００１】
本願発明は、ボードを用いて複数月のカレンダー用紙を掲示するカレンダーに関するものである。
【背景技術】
【０００２】
従来の一般的カレンダーは、１ケ月の日付を表示して、１年分の１２枚のカレンダー用紙が用紙の上部を綴じ具で綴じられているものが多く見られる。しかし、より便利である複数月の日付を表示する以下のようなカレンダーも見られる。
３ケ月表示のカレンダーは図１２に表すように、３ケ月分の日付が印刷され、上端部で綴じられているものが多く見られる。月毎に切取り線で過ぎた月のカレンダー用紙を部分的に切り取っていくものである。
また、３ケ月表示の壁掛けカレンダーであって、上部に穴をあけた月毎のカレンダーに折り目をつけたものを連続させ、台板の上部に突起を設けて３ケ月分を表示し、残りの非掲示のカレンダーを台板の背後に格納するカレンダー装置がある。（図１３参照）（特許文献１参照）
同じように、３ケ月表示の壁掛けカレンダーであって、縦長の用紙に１３ケ月のカレンダーを連続に記載し、各月間に折り線を設け、２ケ月毎に繰り上げて掲示するカレンダーがある。（特許文献２参照）
【先行技術文献】
【特許文献】
【０００３】
【特許文献１】特開２００２−１０３８４９公報。
【特許文献２】実用新案登録第３０９０１９２公報。
【発明の開示】
【発明が解決しようとする課題】
【０００４】
前記従来の複数月を掲示するカレンダーは、下記のようないずれか課題がある。
１）図１２で表示するカレンダーは、一月が経過するごとカレンダー用紙を切り取って表示を変えるカレンダーである。月毎に月表示の並び順序（図では６月、５月、７月の順で並んでいる）が変わるため、見たい日の表示を簡単に見つけられない欠点がある。また、カレンダー用紙が切り取られてしまうため、記録として残らない。
２）図１３で表示する特許文献１のカレンダーは、２ケ月毎であるが、月表示を変更するとき、カレンダー用紙を広げたり折り曲げたりする大変さがある。つまり掲示の交換に手間取る。
３）特許文献２のカレンダーは、月毎に今月のカレンダーの位置が変わってしまい、目的の日付を目で探さなければならない。また、特許文献１のカレンダー用紙にも言えることであるが、１２カ月連続の長い紙を使用する必要があるため、後から販売促進用のロゴや会社名を印刷することが出来ない。そして何よりカレンダー製作にあたって、用紙を１２カ月に分けて折りたたむ手間が大変である。
４）前記いずれのカレンダーにも共通することであるが、縦に３ケ月のカレンダーを表示するため、卓上カレンダーとしては使い難い構造である。また１年単位のカレンダー用紙の構成であるため、年度が代る時点で、前年度と新年度の月表示を連続して掲示することが出来ない。
【課題を解決するための手段】
【０００５】
上記のような課題を解決するために、本願発明のカレンダー装置は、略矩形の月毎のカレンダー用紙と該カレンダー用紙を複数掲示する場所を有するボードとで構成されて、
該ボードが、前記カレンダー用紙を掲示する場所の間に、カレンダー用紙が進む側がスロープ状でカレンダー用紙が戻る側がフック状のストッパーと、カレンダー用紙の前面に位置する前面板を備えていることを特徴としたものである。
【０００６】
さらに、略正方形の月毎のカレンダー用紙と該カレンダー用紙を複数掲示する場所を有するボードとで構成されて、該ボードが、前記カレンダー用紙を掲示する場所の間に、カレンダー用紙が進む側がスロープ状でカレンダー用紙が戻る側がフック状のストッパーと、カレンダー用紙の前面に位置する前面板を備えていることを特徴としたものである。
【０００７】
そして上記のような課題を解決するために、本願発明のカレンダーの月表示の更新方法は、略矩形の月毎のカレンダー用紙と該カレンダー用紙を複数掲示する場所を有するボードとで構成されて、該ボードが、前記カレンダー用紙を掲示する場所の間に、カレンダー用紙が進む側がスロープ状でカレンダー用紙が戻る側がフック状のストッパーと、カレンダー用紙の前面に位置する前面板を備えていることを特徴としたカレンダー装置を用いて、
カレンダー用紙の第一の掲示する場所にある表面のカレンダー用紙を
ボードが備えた前面板とストッパーの間を滑動させて通過させて、
カレンダー用紙の第二の掲示する場所に移動する
ことを特徴としたカレンダーの月表示を更新する方法である。
【発明の効果】
【０００８】
本願発明のカレンダー装置では次のような効果を得ることができる。
１）すべて紙を素材として製作することが可能であり、環境に優しく、分別ごみの手間もなく、カレンダー用紙は表裏面を利用することもできて経済的である。
２）本願発明のカレンダー装置は壁掛けあるいは卓上カレンダーとしても適用可能である。また、月毎に連続したカレンダーの掲示も縦並びと、横並びが可能であるため、利用範囲が広い。
３）本願発明のカレンダー装置は３ケ月連続のカレンダー掲示することが最適の使用状況である。カレンダーの月順は時系列順で上から（あるいは左から）３ケ月連続のカレンダーが掲示できるため見易く便利である。このとき例えば、中央の位置を今月のカレンダーと定めることで、日付を探すとき視線が迷うことがない。
４）本願発明のカレンダー装置では、カレンダー用紙は一枚一枚に分離していて、かつ略矩形であるため製作や印刷は容易で、低コストで製作することができる。
５）カレンダー用紙が一枚一枚であり、宣伝広告用の会社名やロゴをカレンダー用紙に印刷する場合、直前に一般的に普及しているコピー機でこれらを印刷することが出来るので便利である。
６）本願発明のカレンダー装置では、カレンダー用紙をスライドさせて移動するだけの簡単な操作でカレンダーの掲示（月表示）を変更できて、使い易い。
７）一年分のカレンダー用紙は最後のカレンダー用紙掲示場所に残るため、記録として残して、見直すこともでき便利である。
８）本願発明のカレンダー装置では、次年度も同じサイズのカレンダー用紙を採用すれば年度を越えた月表示を連続して掲示することが出来て、便利である。
以上、本願発明のカレンダー装置は、上記のようにカレンダー用紙の取り替えに手間がかからず、３ケ月分のカレンダーを常に時系列で掲示することが可能であるため、見易く便利である。
【発明を実施するための形態】
【０００９】
以下図面を参照にしながら本願発明の好適な実施の形態を詳細に説明するが、実施例の説明に先立って本願発明の部材と部位に関して説明する。
【００１０】
＜カレンダー用紙の説明＞
本願のカレンダー用紙は一枚一枚に月毎のカレンダー（日付、曜日、月表示等）が記載された用紙である。カレンダー用紙には歳時記や六曜の記載やメモ欄等があってもよい。
一般的カレンダーの概念を越えて、地下鉄路線図、緊急連絡先リスト、写真、絵、標語や予定表を記載した用紙があってもよい。カレンダー用紙の表裏面を使うことでも良い。
【００１１】
カレンダー用紙１の材質は紙または合成樹脂板で、薄くて丈夫なものであればよい。一枚の紙の硬さとして、ちり紙や新聞紙の様に柔らかいものは本願発明には不適であり、一般的な学習ノートやパンフレット用紙等の硬さが適当である。はがきや画用紙程度の硬さの紙質であれば十二分である。
【００１２】
カレンダー用紙１の寸法は、小はメモ用紙程度から大はＢ４サイズの用紙程度が適当である。
【００１３】
カレンダー用紙は略矩形で各カレンダー用紙が同一サイズの用紙を用いることで、本願発明のカレンダー装置は最適に機能を発揮する。但し矩形ではあっても角を丸くすることは差支えない。
図１で表すように、カレンダー用紙の縦または横の寸法は、ボードが備えるカレンダー用紙の掲示する場所２ａに納まる必要がある。またカレンダー用紙を掲示する場所の本願ストッパーと次のカレンダー用紙の掲示場所のストッパーとの間に納まる寸法である必要がある。また、カレンダー用紙の進行方向を誘導する側面板５を採用する場合には、カレンダー用紙の縦または横の寸法は側面板の間に納まるサイズである必要がある。
本願発明のカレンダー用紙は単純な形状であり、裏面に他の月のカレンダーを印刷して、表裏両面を利用して、経済的に使うことができる。カレンダー用紙は折り曲げたり綴じたりする必要がないため、製作は容易で、印刷も容易で低コストで可能である。更に贈答用に本願発明のカレンダーを用いる場合には、カレンダー用紙が略矩形であるために、一般的に普及しているコピー機で会社名やロゴなどを後から印刷することが出来る。
また略矩形の用紙を動物や乗り物の形状に切り抜いて、用紙の一部分の縦または横の寸法が上記の寸法の条件に合致するようなカレンダー用紙であっても良い。
【００１４】
あるいはカレンダー用紙の縦横の長さがほぼ同じの略正方形であっても良い。このようなカレンダー用紙の形状であれば、図１０と図１１で表すように、ボードの向きが縦向きでも横向きであっても、カレンダー用紙の上下の向きを正しくセットすることでカレンダーとして便利に利用できる。
尚、略矩形や略正方形の略とは、ボードのカレンダー用紙の掲示する場所に納まる範囲で、その掲示場所の間にあるストッパーに納まる範囲であり、側面板がある場合には側面板に納まる範囲であれば厳密に矩形や正方形でなくとも良いという意味である。
【００１５】
＜ボード＞
ボードの材質は紙、プラスチック、木材等で良い。紙やプラスチックを用いる場合はボール紙やノートや本の表紙のように硬いものが良い。木材を用いる場合は数センチメートルの厚みがあっても適用できる。
ボードの大きさは、複数枚のカレンダー用紙を掲示できる大きさでなければならない。本願発明のカレンダー装置の主目的として、数か月分のカレンダーを見易く表示するとともに、月毎のカレンダー用紙の表示を取り替え易くするという観点から、カレンダー用紙３枚を掲示できるボードの大きさが最適な使用状況といえる。
ボードの前記カレンダー用紙を掲示する場所の間には、カレンダー用紙が進む側がスロープ状でカレンダー用紙が戻る側がフック状のストッパーを備えていることが本願の特徴である。またボードはカレンダー用紙の前面に位置する前面板を備える必要がある。ストッパーと前面板との関係は後記で詳しく説明するが、前面板とストッパーの間をカレンダー用紙が容易に通過するが、戻ることが困難になる仕掛けの機能を有する構成である。
【００１６】
＜ストッパー＞
本願で使用するストッパーは、側面から見て一方側はスロープ形状で物が引っかかることなく滑りを許す機能があり、逆側は角のように尖ったフック状であり、物が角に引っかかる機能があるストッパーである。
つまり、カレンダー用紙がボードに沿って滑動して移動するとき、一方向には滑り易く通過することができ、戻る方向にはカレンダー用紙が引っかかって戻ることができない構造のストッパーである。ここでこの部材は、カレンダー用紙が戻ることを阻止する機能があるため、この部材をストッパーと称する。
釣り針や銛の先端の返しの機能は、容易に突き刺さるが反対方向には容易に抜けない構造である。本願のストッパーはカレンダー用紙の動きに対して銛の先端の返しと同じような機能を有する。あるいは魚を捕獲する仕掛けのように、入り口は広く入り易く、出口は狭く出口が見つけ難い機能と同じ機能を有している。
【００１７】
図２は、本願ストッパーの実施例を表す図である。
（Ａ）図はボードの一部に切込を設けて、切込を折り曲げ線４ｊで折り曲げて起こして本願ストッパーとした事例である。切込を起こす折り曲げ線４ｊが、カレンダー用紙が移動して進む方向４ｆと直角方向であることが特徴である。切込を起こすと、切込の前面がボードの面に対してスロープ状４ｉになって、カレンダー用紙がそのスロープ状を乗り越えて通過することが出来る構造の本願ストッパーである。カレンダー用紙が戻る方向４ｇに移動するときは、起こした切込が側面から見てフック状４ｈでカレンダー用紙が引っかかる構造である。
ここで、ストッパーのスロープの長さがボードと前面板の間隔よりも長いことが重要である。そのことでストッパーと前面板との間隔が小さくすることが出来、カレンダー用紙が戻る方向に移動するときに、カレンダー用紙が確実にストッパーに引っかかることになる。
（Ｂ）図は同様にボードの一部に切込を設けて、切込を起こしたときの切込の側面がスロープ状となっている形状の本願ストッパーである。このストッパーの特徴は切込を起こした時の紙の側面（切断面）が、ボードの面に対してスロープ状４ｉであることにある。カレンダー用紙がボード面に沿って移動する際、スロープ状であるから容易に乗り越えて通過することができる構造である。切込の反対側の形状がフック状４ｈになっていて、カレンダー用紙が戻る方向に移動するときはフックに引っかかる構造である。
（Ｃ）図は、片側がスロープ状４ｉで反対側がフック状４ｈの固形物４ｅをボード２に貼りつけた構造の本願ストッパー４である。固形物は一体成形で製作した樹脂が適当である。この場合、固形物をビスや接着剤でボードに固定することが出来る。上記と同様の機能を有する。
【００１８】
いずれの本願ストッパーの構造もカレンダー用紙が戻るときは、本願ストッパーがフック状４ｈで角のように機能して、カレンダー用紙が角の下に入り込んで戻らない構造である。
またもう一つの構造上の特徴として、カレンダー用紙が本願ストッパーを乗り越えると、その本願ストッパーの角の下にあったカレンダー用紙の最表面に位置することができることである。複数のカレンダー用紙がストッパーの角の下に存在している場合でも、移動してきたカレンダー用紙が、角の下に会ったカレンダー用紙の間に潜り込むことはない。
【００１９】
＜前面板とストッパー＞
本願発明のカレンダーで用いる前面板とストッパーに関して、図３〜６で説明する。
前面板の素材は厚みのある紙やプラスチックシートがよい。前記ボードを折り曲げて前面板構成することでもよい。また、分離したシート状の素材を接着剤やステプラー等でボードに取付けて構成することでもよい。ボードに切込等を設けて、ボードと前面板を噛み合わせて構成することでもよい。前面板は透明の樹脂製であっても良い。
【００２０】
前面板はカレンダー用紙が前方に脱落することを防ぐ機能がある。
部材の重なりという意味で常時においては、前面側から前面板、ストッパー、ストッパーのフック（角）の後ろにカレンダー用紙、ボードという順序で並んでいる。しかし本願カレンダー装置は、カレンダーの月表示の更新の時には、前面板とストッパーの間を通って、カレンダー用紙を滑らせて移動させる装置である。その時は前面側から前面板、カレンダー用紙、ストッパー、ボードという順序で重なっている状態となる。
この前面板とストッパーの間を、カレンダー用紙を滑らせて移動させる方法によって、カレンダー用紙を手に取って元の位置から取り外すことなく、カレンダー用紙をボードに沿ってスライドさせる方法で、カレンダー用紙の移動が可能となる。
前面板とストッパーの間隔は、カレンダー用紙が進む側はストッパーのスロープ状の法尻であり前面板とストッパーの間隔は広い。しかしカレンダー用紙が戻る側の前面板とストッパーの間隔は、ストッパーのスロープ状の頂点であって、前面板とストッパーの間隔は狭い。つまり、前面板と本願ストッパーはカレンダー用紙の移動に関して関門の役割があり、仕掛け構造の機能がある。カレンダー用紙が進む側は間隔が広く関門に入り易く、カレンダー用紙が戻る側は間隔が狭く関門に入り難い構造である。
【００２１】
図３は本願発明の前面板３とストッパー４を説明する図であり、ボードの両端部を折り曲げて構成した前面板を説明する図である。
ストッパー４はボード２に設けた切込を起こしたストッパーであり、正面から見て前面板の背後に位置している。ストッパーが前面板の背後に隠れているので、カレンダーを見るときに目障りにならないメリットがある。図で説明しているように人の手６で、指で押す方向６ａに押すことでカレンダー用紙はボードに沿って滑動させて、ストッパーのスロープを登り、ストッパーと前面板の間を滑って通過させることができる。
【００２２】
このとき、ストッパーはボードに設けた切込を起こした構造で柔らかであるため、カレンダー用紙に押されて、スロープの勾配を変えて、前面板とストッパーの間隔は広がる。そしてカレンダー用紙が戻るときは、カレンダー用紙に押されてスロープの勾配は変わり、前面板とスロープの間隔は狭まる。つまり、本願切込を起こしたストッパーの柔軟性が利用されている。
また、カレンダー用紙もシート状の柔軟性を有しているため、ストッパーに触れる部分を撓ませて、前面板とストッパーの間を通過する。つまり、本願装置はカレンダー用紙のたわみ性を利用している。
図３では２月のカレンダー用紙がストッパーを乗り越えて（前面板とストッパーの間を滑動して）、１月のカレンダー用紙の前面に移動しつつある状態を表している。
【００２３】
図４は本願発明の別な形態の前面板とストッパーを説明する図であり、（Ｃ）は拡大した平面図である。
図４のストッパー４は前面板から離れた位置にあるが、やはり前記で説明したように、前面板はカレンダー用紙の前面に位置して、常時においては前面板とボードでカレンダー用紙を挟み込む機能を有している。
しかし月表示の更新時、図では１月のカレンダー用紙においては、前記同様にカレンダー用紙はストッパーのスロープを登り、前面板とストッパーの間を滑って移動している状態を表している。この場合ストッパーの先端が平面的に前面板より前方に多少突出していてもカレンダー用紙にたわみ性があるため、ストッパーと前面板は正面から見て離れた位置にあるが、ストッパーがこの位置にあっても、側面からみて前記と同様に、常時の部材の重なり順序は前面から前面板、ストッッパー、カレンダー用紙、ボードであり、カレンダー用紙の移動時には前面板、カレンダー用紙、ストッパー、ボードの順序である。そして同様にカレンダー用紙に対して仕掛け構造となっている。
図４の（Ｃ）図で表すように、カレンダー用紙1ａは、前面板とストッパーの角部の頂点の位置との間で撓んでいる。またカレンダーの進む方向において、カレンダー用紙はストッパーの位置と指で押す位置の間で撓んでいる。このように本願発明ははがきのような紙の硬さのカレンダー用紙のたわみ性や柔軟性を利用した発明でもある。
【００２４】
図５は本願発明の別な形態の前面板とストッパーを説明する図である。前面板はボードに被せる開口部のある前面板３ｂであり、前面板の開口部３ｃからカレンダー用紙１が見える構成の前面板である。ストッパー４はカレンダー用紙の掲示する場所２aの間にあって、前面板の横方向の部材に隠れて見えない位置に設けられている。ストッパーが前面板の背後に隠れているので、カレンダーを見るときに目障りにならないメリットがある。この形態の前面板とストッパーも前記で説明したと同じ機能を有している。
【００２５】
図６は前面板３とストッパー４が仕掛け機能を有することの説明図である。（C)図は詳細断面図である。
前面板３と本願ストッパー４ａの間隔は、カレンダー用紙が移動して進む側は前面板からスロープ状の付け根までの間隔３ｄで広く、カレンダー用紙が戻る側の間隔は前面板から角の先端までの間隔３ｅは狭い。つまりカレンダー用紙は、前面板とストッパーの間を進むときは広くて間に入り易く、戻るときは狭くて間に入り難い。また戻るときはストッパーがフック構造になっているため、引っかかってしまう仕掛け構造である。
【００２６】
＜側面板＞
側面板はカレンダー用紙が左右の方向にずれないための部材であり、ボードに設けられる。側面板とボード、側面板と前面板がそれぞれ一体構造であってもよい。また別々な部材を一体化させることであってもよい。側面板はカレンダー用紙の進行方向を誘導する機能があれば、他の構造や他の部材であっても良い。
【００２７】
＜カレンダー用紙の移動（月表示の更新）の説明＞
図７、８、９はカレンダー用紙１が前面板３と本願ストッパー４との間を滑動して移動する状況の段階的説明図である。図では簡明に説明するためにカレンダー用紙を２枚のみ表示している。
図７は、カレンダー用紙が移動する前の状態を表している。カレンダー用紙は前面板３ａの背後にあって前方に倒れることなく、下方の本願ストッパー４ａのフックに引っかかる状態で下に落下することなく、側面板５があって左右に傾くことなく、安定して掲示されている。
２月のカレンダー用紙は、カレンダー用紙の第一の掲示する２ｂにある表面のカレンダー用紙である。
図８は、図７の状態のカレンダー用紙を指で押し上げて、ボードが備えた前面板３ｂとストッパー４の間を滑動させて通過させて、上方に移動させている状態の説明図である。カレンダー用紙１は、本願ストッパーがスロープ状になっているので、本願ストッパーに妨げられることなく、前面板と本願ストッパーの間を滑動して、ストッパーの上を乗り越えて上方に移動することができる。
図９は、カレンダー用紙が、本願ストッパーを乗り越えて、目的のカレンダー用紙の第二の掲示する場所２ｃに移動して、移動を終えた状態を表している。カレンダー用紙は切込を起こしたストッパー４ａに引っかかり、元の方向に戻ることはない。つまりカレンダー用紙はこの状態で元の方向に行かず、左右に傾かず、前方に倒れない安定した状態で掲示される。  本願カレンダー装置は上記のような方法を特徴としたカレンダーの月表示を更新する方法である。
尚、複数枚のカレンダー用紙が重ねて配置されていても、最表面のカレンダー用紙を上記のような手順で移動することができる。そして移動先に既にカレンダー用紙が複数存在していても、その最表面に移動することができる。
【００２８】
上記手順では、カレンダー用紙を指で押しながら滑動させたが、カレンダー用紙につまみ部を設けて、つまみを持ってカレンダー用紙を移動する方法等であってよい。カレンダー用紙に孔をあけて、その孔に指をかけてカレンダー用紙をスライドすることでもよい。
【実施例１】
【００２９】
図１は本願発明の実施例を説明する図であり、（Ａ）正面図であり、（Ｂ）は側面図、（Ｃ）は平面図である。
略矩形の月毎のカレンダー用紙１と該カレンダー用紙を複数掲示する場所２ａを有するボード２とで構成されて、
該ボードが、前記カレンダー用紙を掲示する場所の間に、カレンダー用紙が進む側がスロープ状４ｉでカレンダー用紙が戻る側がフック状４ｈのストッパー４と、カレンダー用紙の前面に位置する前面板３を備えていることを特徴とするカレンダー装置を表した図である。
図１で表すように、本願発明のカレンダー装置では同じサイズのカレンダー用紙を使うことで、年度が代る時点で、前年度と新年度の月表示（図の１２月と１月）を連続して掲示することが出来る。
【実施例２】
【００３０】
図１０は本願発明の別な形態の実施例を説明する図である。ボードは穴７とボードの背面の支え９とを備えている。
図は、略正方形の月毎のカレンダー用紙１と該カレンダー用紙を複数掲示する場所２ａを有するボード２とで構成されて、
該ボードが、前記カレンダー用紙を掲示する場所の間に、カレンダー用紙が移動して進む方向４ｆがスロープ状４ｉでカレンダー用紙が戻る側がフック状のストッパー４と、カレンダー用紙の前面に位置する前面板３を備えていることを特徴とするカレンダー装置を表している。
この形態のカレンダー装置は略正方形のカレンダー用紙を採用することで、図１０の（Ａ）図で表すようにボードの背面の支え９を使ってボードを横向きに卓上に設置して、３枚のカレンダーを横方向に並べることができる装置である。このように並べることで、日付表示と月表示の数字の並び方が同じ方向（左から右に数字が大きくなる）になって、見易いカレンダーを構成することが出来る。
またこの装置は、カレンダー用紙が略正方形であるため縦向きでも横向きでも二枚の側面板と本願ストッパーの間に納まるため、ボードの孔７を使って壁に吊るして壁掛けカレンダーとして利用することが出来る。図１１にその実施例を表している。つまり、卓上と壁掛け、カレンダー用紙を横に並べる、縦に並べる両方の方法が採用できる便利なカレンダー装置である。
ここで（Ａ）図は、２月のカレンダー用紙を前記で説明した方法で移動しているところを表している。
（Ｂ）図は、（Ａ）図のカレンダー表示の状態から、次のステップとしてカレンダー表示を変える途中を表わした図である。２月のカレンダー用紙を１月の上に移動を終えた後に、３月のカレンダー用紙を本願ストッパーの上を移動させているところを表している。ここで、カレンダー用紙はあらかじめ３月の下には４月から１２月までのカレンダー用紙が順序通り重ねて置かれている。
（Ｃ）図は、（Ａ）図のカレンダー装置の状態から、（Ｂ）図で表す状態を経過して、カレンダー用紙の移動を終えた状態を表している。２月、３月、４月のカレンダー用紙が順序よく掲示されている。本願カレンダー装置ではカレンダー用紙は常に時系列に順序良く並ぶことができる。
【００３１】
図１１は、図１０の本願カレンダー装置横向きのものを縦向きに利用形態を変更したものを表した図である。カレンダー用紙が略正方形であって、ボードのカレンダー掲示する場所にカレンダー用紙を縦置き、横置きに出来る寸法であることで可能となる。
【実施例３】
【００３２】
本願発明のカレンダー装置の月表示を更新する方法は以下のようである。
図１０の（Ａ）図は、略矩形の月毎のカレンダー用紙１と該カレンダー用紙を複数掲示する場所２ａを有するボード２とで構成されて、該ボードが、前記カレンダー用紙を掲示する場所２ａの間に、カレンダー用紙が進む側がスロープ状４ｉでカレンダー用紙が戻る側がフック状のストッパー４と、カレンダー用紙の前面に位置する前面板３を備えていることを特徴とするカレンダー装置を表している。
ここでカレンダー用紙の月表示の更新は以下のように方法でなされる。
上記のカレンダー装置を用いて、
ステップ１として、
カレンダー用紙の第一の掲示する場所２ｂにある表面のカレンダー用紙１（２月）を、指で押してカレンダー用紙が移動して進む方向４ｆに滑らせ、
ステップ２として、
ボード２が備えた前面板３とストッパー４の間を滑動させて通過させて、
（前面板と本願ストッパーの間を、カレンダー用紙を滑動させる手段は前記＜前面板とストッパー＞で記載）
ステップ３として、
カレンダー用紙１の第二の掲示する場所２ｃに移動して、
カレンダーの月表示を更新する方法である。
【図面の簡単な説明】
【００３３】
【図１】本願発明カレンダー装置の実施例の（Ａ）は正面図、（Ｂ）は側面図、（Ｃ）は平面図である。
【図２】本願発明のストッパーを説明する図である。
【図３】本願発明の前面板とストッパーを説明する図である。
【図４】本願発明の別な形態の前面板とストッパーを説明する図である。
【図５】本願発明の別な形態の前面板とストッパーを説明する図である。
【図６】本願発明の前面板とストッパーの位置関係を説明する図である。
【図７】本願発明のカレンダー用紙の移動方法を説明するステップ１図である。
【図８】本願発明のカレンダー用紙の移動方法を説明するステップ２図である。
【図９】本願発明のカレンダー用紙の移動方法を説明するステップ３図である。
【図１０】本願発明の別な形態のカレンダー装置の実施例を説明する図である。
【図１１】本願発明のカレンダー装置を横のものを縦に使う実施例である。
【図１２】３ケ月掲示の従来のカレンダー１の正面図。
【図１３】３ケ月掲示の従来のカレンダー２の正面図。
【符号の説明】
【００３４】
１：カレンダー用紙
１ａ：ストッパーでたわんだカレンダー用紙
２：ボード  
２ａ：カレンダー用紙を掲示する場所
２ｂ：カレンダー用紙の第一の掲示する場所
２ｃ：カレンダー用紙の第二の掲示する場所                
３：前面板
３ａ：ボードの両端部を折り曲げた前面板
３ｂ：ボードに被せる開口部のある前面板
３ｃ：前面板の開口部 
３ｄ：前面板からスロープ状の付け根までの間隔
３ｅ：前面板から角の先端までの間隔
４：本願ストッパー
４ａ：ボードの切込を起こした本願ストッパー
４ｂ：ボード切込を縦の折り曲げ線で起こした本願ストッパー
４ｃ：スロープ状のフックをボードに貼りつけた本願ストッパー
４ｄ：切込を起こした跡のボードの孔
４ｅ：固形物
４ｆ：カレンダー用紙が移動して進む方向
４ｇ：カレンダー用紙が戻る方向
４ｈ：ストッパーのフック状
４ｉ：ストッパーのスロープ状
４ｊ：折り曲げ線
５：側面板
６：人の手
６ａ：指で押す方向
７：穴
８：吊り具
９：ボード背面の支え
【要約】
【課題】
従来の複数月を掲示するカレンダーは、次のような課題があった。月表示のカレンダーの並び順が時系列ではない。あるいは月毎に今月のカレンダーの位置が変わってしまい、目的の日付を探すとき迷う。また、月毎の表示の更新が手間取るなどがあった。
【解決手段】
上記のような課題を解決するために、本願発明のカレンダー装置は、略矩形の月毎のカレンダー用紙と、ストッパーと前面板を有するボードとよりなるカレンダー装置である。カレンダー用紙をボードに沿って滑動させて移動することで容易に変更することができ、カレンダーの並び順も時系列順とすることが出来る。
【選択図】図１【図１】
0006609744.tif 000002
【図２】
0006609744.tif 000003
【図３】
0006609744.tif 000004
【図４】
0006609744.tif 000005
【図５】
0006609744.tif 000006
【図６】
0006609744.tif 000007
【図７】
0006609744.tif 000008
【図８】
0006609744.tif 000009
【図９】
0006609744.tif 000010
【図１０】
0006609744.tif 000011
【図１１】
0006609744.tif 000012
【図１２】
0006609744.tif 000013
【図１３】
0006609744.tif 000014